(57)【要約】【課題】指先冠着式の脈拍測定装置の提供。【解決手段】脈拍測定装置は、脈拍センサーを指袋中に設置し、指袋を医師の指上に固定して、受測者の脈拍信号を測量する。測量の過程で、医師は指の触圧方式で精確に圧力を施圧し、受測者の脈拍波形と振幅を感じ取り、脈拍センサーの定位と圧力を制御して、測量結果の精確性を向上させる。脈拍信号をデータプロセッサに伝送して分析、ファイリングし、医師が同時に必要な脈拍データを得ることができる。【選択図】図１
2008100032.tif 000002
【特許請求の範囲】
【請求項１】
脈拍測定装置であって、
指先に固定され、脈拍センサーを有し、受測者に対し脈拍の測量を実行して、前記受測者の脈拍信号を獲得する少なくとも一つの指袋と、
前記脈拍センサーに接続され、前記受測者の脈拍信号を受信、伝送する伝送装置と、
前記伝送装置に接続され、前記受測者の脈拍信号に基づいて分析し、脈拍データを生成するデータプロセッサと、
からなることを特徴とする、脈拍測定装置。
【請求項２】
前記脈拍センサーは薄膜圧力センサーであることを特徴とする、請求項１に記載の脈拍測定装置。
【請求項３】
前記指袋は複数個であることを特徴とする、請求項１に記載の脈拍測定装置。
【請求項４】
前記伝送装置は有線、或いは、無線の伝送装置であることを特徴とする、請求項１に記載の脈拍測定装置。
【請求項５】
前記脈拍センサーに接続されるコントローラーを有し、前記脈拍センサーの脈拍測量を制御することを特徴とする、請求項１に記載の脈拍測定装置。
【請求項６】
前記コントローラーは腕時計式であることを特徴とする、請求項５に記載の脈拍測定装置。
【請求項７】
前記データプロセッサは状態指示ユニットを設置し、前記脈拍信号の測量状態を表示することを特徴とする、請求項１に記載の脈拍測定装置。
【請求項８】
前記測量状態は、測量した前記脈拍信号を心拍数（ＨＲ）符号、数字、文字、或いは、脈拍波形により表示することを特徴とする、請求項７に記載の脈拍測定装置。
【請求項９】
前記指袋は、電源装置を有し、前記脈拍センサーに対し電源を供給することを特徴とする、請求項１に記載の脈拍測定装置。
【請求項１０】
前記電源装置はリチウム充電池であることを特徴とする、請求項９に記載の脈拍測定装置。
【請求項１１】
前記伝送装置はＵＳＢ伝送、充電装置で、前記受測者の脈拍信号を伝送するとともに、前記電源装置に対し充電を施すことを特徴とする、請求項９に記載の脈拍測定装置。
【請求項１２】
ＵＳＢ充電装置を有し、前記電源装置に対し充電を施すことを特徴とする、請求項９に記載の脈拍測定装置。
【請求項１３】
前記指袋は、温度センサーを有し、前記受測者の体温と室温を測量することを特徴とする、請求項１に記載の脈拍測定装置。
【請求項１４】
前記温度センサーは感応式、或いは、接触式であることを特徴とする、請求項１３に記載の脈拍測定装置。
【請求項１５】
前記脈拍センサーに接続されるコントローラーを有し、前記脈拍センサーの脈拍測量と前記温度センサーの温度測量を制御し、且つ、前記コントローラーは複数の功能ボタンを有し、脈拍測量と温度測量の選択に便利であることを特徴とする、請求項１３に記載の脈拍測定装置。
【請求項１６】
前記データプロセッサはメモリユニットを有し、異なる時間、日時下で測量した脈拍信号を記憶することを特徴とする、請求項１に記載の脈拍測定装置。
【発明の詳細な説明】
【技術分野】
【０００１】
本発明は、脈拍測定装置に関し、特に脈を採る場合に施術者の指先に冠着して、脈拍診断の正確性を高めるための脈拍測定装置に関するものである。
【背景技術】
【０００２】
脈拍測定装置は、科学的方法により中医学の脈象を測量するもので、即ち、脈をとることであり、中医学の脈とりは文字で大まかに叙述できるだけで（この類の叙述は古書に多く記載されている）、実態のない画像表示であり、現在、西洋医学、中医学共に、いかにして、中医学を科学化、具体化、画像化、データ化するかが研究されている。
【０００３】
市場に出回る脈拍測定装置は通常、圧力式センサーを採用し、脈拍測定装置を患者の腕に固定し、圧力、及び、時間等のパラメータを設定した後、脈拍測定装置は自動的に測量して脈拍信号を獲得し、得られた脈拍信号をコンピュータに伝送して分析する。しかし、医師は患者の脈をとると同時に、コンピュータ上のデータや波形と対照比較して、患者の病気の特徴を判断し、正確に処方することができない。更に、両者の測量は同時に進行するものではなく、圧力も若干の差異があり、故に、両者が測量した脈象は大きな差を生じる恐れがあり、よって、その精確性が疑問である。
【０００４】
各患者の脈拍位置は異なり、一般の脈拍測定装置は気体式の脈圧袋を使用し、測量される信号は混合波であり（寸関尺）、測量者が必要な正確な信号を得ることができない。信号が不正確である時、位置の再度調整が必要であり、且つ、装着に時間がかかる、信号を同時に掌握できない等の欠点がある。更に、脈拍測定装置が施加する圧力は、脈拍を測量する時非常に重要であり、光電素子の電気的測量時に施加するバイアス電圧に相当する。医師の脈とりは、指先から異なる圧力を施加して異なる脈象を得るもので、一般の気圧式脈拍測定装置は、大部分は圧力センサーが一つしかなく、よって、得られる情報も混合波（寸関尺）であり、医師がとった脈の三種の異なる位置の波形と比較ができない。よって、不便、且つ、不精確率が高い脈拍測定装置は使用率が低下し、多くが、伝統療法を実施する場所での使用になる。
【発明の開示】
【発明が解決しようとする課題】
【０００５】
本発明は、指先装着式の脈拍測定装置を提供し、一般の脈拍測定装置と異なり、医師の指に装着して使用し、脈拍センサーの測量と医師の脈とりが同時に進行でき、医師が脈をとる時、即時に、脈拍センサーを適当な位置、適当な圧力に調整して測量を実行でき、精確性を大幅に向上させることを目的とする。
【０００６】
本発明は、指先装着式の脈拍測定装置を提供し、便利で、且つ、精確性が高いだけでなく、装着時間も節約され、複数の脈拍センサーを有して、複数の異なる位置に対し定位でき、複数の独立した波形を測量し、医師が必要とする脈拍資料を得ることができるようにすることをもう一つの目的とする。
【課題を解決するための手段】
【０００７】
上述の目的を達成するため、本発明の指先冠着式の脈拍測定装置は、一つ、或いは、数個の指袋中に脈拍センサーを設置し、指袋は医師の指上に装着し、異なる患者の寸関尺の異なる位置に応じて、必要な部位、及び、圧力を調整し、脈拍の震動は脈拍センサーにより医師の指に伝達されると共に、伝送装置の伝達により、精確な寸関尺の脈拍信号を同時に、データプロセッサに伝送し、医師が患者の尺関寸の脈象を得て、データプロセッサ上で同時にそれを表示する。
【発明の効果】
【０００８】
本発明の指先冠着式脈拍測定装置により、診断誤差を大幅に減少させて、医療ミスを回避し、また、科学研究にも役立ち、精確性と便利性も増加する。
【発明を実施するための最良の形態】
【０００９】
図１と図２は、それぞれ、本発明の実施例により提供される指先装着式の脈拍測定装置の正面、及び、背面図である。
本実施例中、三個の指袋１０を製作して、医師が自身の指先２０に装着する。
指袋１０の下縁は調節可能な材料で、異なる指の大きさにも適合する。
三個の薄膜圧力センサーは、それぞれ、三個の指袋１０の内部に埋蔵され、脈拍センサー３０（図２）を固定し、脈拍センサー３０の位置を受測者の測量が必要な部分に照準させて、圧力を施加し、脈拍震動により脈拍信号を獲得し、測量した脈拍信号は伝送装置４０によりデータプロセッサ５０中に伝送され、脈拍データとして分析処理する。
【００１０】
上述の伝送装置４０は状況に応じて、赤外線、ブルートゥース（登録商標）、コネクタ等のワイヤレス、或いは、有線の伝送装置により、脈拍センサー３０末端に接続されると共に、脈拍信号をデータプロセッサ５０中に伝送する。
図３で示されるように、指袋１０は、更に、電源装置６０を有し、例えば、リチウム充電池、或いは、その他の種類の電池で、脈拍センサー３０に電源を供給し、伝送装置４０はＵＳＢ伝送と充電装置で、同時に、脈拍信号を伝送し、電源装置６０に充電を実行するもので、勿論、別の充電装置４１を利用し、電源装置６０を充電してもよく（図４を参照する）、且つ、電源装置６０はＵＳＢ充電装置、或いは、その他の種類の電源装置である。
データプロセッサ５０は大きいデータベースで、少なくとも、メモリユニット５１、及び、演算ユニット５２を有し、測量結果はメモリユニット５１から同時に記録され、異なる時間、日時で測量した脈拍信号を記録し、即時に、演算ユニット５２により、メモリユニット５１が保存する脈拍信号を、統計分析、或いは、フーリエ変換等の演算を実行し、状態指示ユニット５３により、脈拍データを心拍数（heart rate：ＨＲ）符号、数字、文字、或いは、脈拍波形により同時に表示して、指先装着式の脈拍測定装置の操作を完成させる。
【００１１】
脈拍センサー３０の脈拍信号の制御は、直接、データプロセッサ５０上に設けられた制御ユニットにより、実務上、別にコントローラーを利用して制御する。図４は、本発明のコントローラーを有する指先装着式の脈拍測定装置の実施例を示し、コントローラー７０は脈拍センサー３０に接続され、脈拍センサー３０の脈拍測量を制御し、例えば、脈拍測量の開始、一時停止、或いは、停止等で、脈拍信号を獲得する。本実施例のコントローラー７０は腕時計型で、携帯使用に便利である。
【００１２】
また、図５は、本発明の温度センサーを有する脈拍センサーの実施例を示す図で、更に、感応式、或いは、接触式の温度センサー８０を有し、受測者の体温と室温を測量し、脈拍センサー３０、及び、温度センサー８０と接続するコントローラー９０を設置し、コントローラー９０上の複数の多功能ボタン９１を操作して、脈拍測量、或いは、温度測量を選択すると共に、脈拍センサー３０と温度センサー８０の脈拍信号、及び、温度信号の取り込みを制御する。
【００１３】
上述のように、本発明の提供する指先冠着式の脈拍測定装置は、異なる患者の寸関尺の異なる位置に応じて、必要な部位と圧力を調整でき、且つ、脈拍震動は脈拍センサーにより直接医師の手指に伝達され、伝送装置により伝送されて、精確な寸関尺の脈拍信号を同時にデータプロセッサに伝送して分析処理する。即ち、脈拍センサーの測量と医師の脈とりは同時進行であり、医師が脈拍をとるのと同時に、脈拍センサーを適当な位置、適当な操作に即時に調整して測量を実行し、データプロセッサ上は患者の脈象を同時に分析表示でき、故に、脈拍測定装置の精確性と便利性を増加させることができる。
【００１４】
本発明は、科学的な指先装着式の脈拍測定装置により、医師が同時に感じる脈象を表示することができ、科学的な方法で患者に病状を理解させ、また、患者の脈拍を保存し、カルテの記録と研究に使用でき、また、病気改善の証拠ともなる。更に、この脈拍測定装置は便利で精確なだけでなく、診断誤差を大幅に減少させ、医療ミスを回避し、また、装着時間も減少し、科学上の精確性と問診時の快適度が大幅に向上する。複数の脈拍センサーを有する脈拍測定装置により、医師が知りたい位置波形が得られる。また、本発明の脈拍測定装置の構造は簡潔、創新、且つ、低コストである。よって、本発明は、多くの中医学の医師に採用される。
【図面の簡単な説明】
【００１５】
【図１】本発明の実施例により提供される指先冠着式の脈拍測定装置の正面図である。
【図２】本発明の実施例により提供される指先冠着式の脈拍測定装置の背面図である。
【図３】本発明の実施例により提供される指先冠着式の脈拍測定装置の構造図である。
【図４】本発明のコントローラーを有する指先冠着式の脈拍測定装置の実施例図である。
【図５】本発明の温度センサーを有する指先冠着式の脈拍測定装置の実施例図である。
【符号の説明】
【００１６】
１０  指袋
２０  指    
３０  脈拍センサー
４０  伝送装置
４１  充電装置
５０  データプロセッサ
５１  記憶ユニット
５２  演算ユニット
５３  状態指示ユニット
６０  電源装置
７０  コントローラー
８０  温度センサー
９０  コントローラー
９１  功能ボタン
【図１】
2008100032.tif 000003
【図２】
2008100032.tif 000004
【図３】
2008100032.tif 000005
【図４】
2008100032.tif 000006
【図５】
2008100032.tif 000007